(57)【要約】【課題】従来の車両用灯具では、金型が複雑となり、スライド金型を使用する場合がある。【解決手段】この発明は、１個の入射面５０と、４個の出射面５１と、導光部５２と、を備える。導光部５２は、入射面５０が設けられている幹部５３と、出射面５１がそれぞれ設けられている４本の枝部５４と、から構成されている。枝部５４は、入射面５０から入射した光の進行方向に沿って幹部５３から分岐されている。この結果、この発明は、金型が簡単となり、スライド金型を使用する場合がない。【選択図】        図２
2015022981.tif 000002
【特許請求の範囲】
【請求項１】
光を入射させる１個の入射面と、
光を出射させる複数個の出射面と、
前記入射面と前記出射面との間の導光部と、
を備え、
前記導光部は、前記入射面が設けられている幹部と、前記出射面がそれぞれ設けられている複数本の枝部と、から構成されていて、
前記枝部は、前記入射面から入射した光の進行方向に沿って前記幹部から分岐されている、
ことを特徴とする車両用導光部材。
【請求項２】
前記枝部は、前記幹部から分岐されている分岐部分と、前記出射面が設けられている出射部分と、前記分岐部分と前記出射部分との間に設けられている湾曲部分と、から構成されている、
ことを特徴とする請求項１に記載の車両用導光部材。
【請求項３】
前記枝部は、約３０°〜約５０°の範囲の角度で前記幹部から分岐されている、
ことを特徴とする請求項１または２に記載の車両用導光部材。
【請求項４】
灯室を区画するランプハウジングおよびランプレンズと、
前記灯室内に配置されている光源および前記の請求項１〜３のいずれか１項に記載の車両用導光部材と、
を備える、
ことを特徴とする車両用灯具。
【発明の詳細な説明】
【技術分野】
【０００１】
この発明は、１個の入射面と複数個の出射面とを備える車両用導光部材に関するものである。また、この発明は、１個の入射面と複数個の出射面とを備える車両用導光部材を使用する車両用灯具に関するものである。
【背景技術】
【０００２】
車両用導光部材、車両用導光部材を使用する車両用灯具（以下、単に「車両用灯具」と称する）は、従来からある（たとえば、特許文献１）。従来の車両用灯具は、第１導光体と、その第１導光体の導光方向と直交する方向に第１導光体から延出形成されている複数体の第２導光体と、を備え、第１導光体の外側面のうち、第２導光体に対向する箇所に内面反射部を形成したものである。ＬＥＤからの光が第１導光体の光入射端部から第１導光体内に入射し、その入射光が第１導光体内を導かれると共に、内面反射部で複数体の第２導光体内にそれぞれ入射し、その入射光が第２導光体内を導かれると共に、複数体の第２導光体から灯具外方に出射する。このように、１個もしくは少ないＬＥＤで複数体を発光させることができる。
【先行技術文献】
【特許文献】
【０００３】
【特許文献１】特開２０１２−１９０７６１号公報
【発明の概要】
【発明が解決しようとする課題】
【０００４】
ところが、従来の車両用灯具は、複数体の第２導光体が第１導光体の導光方向と直交する方向に第１導光体から延出形成されているので、第１導光体内の光を第２導光体内に導くために、第１導光体に内面反射部を設ける必要がある。この結果、金型が複雑となり、しかも、スライド金型を使用する場合がある。
【０００５】
この発明が解決しようとする課題は、従来の車両用灯具では、金型が複雑となり、スライド金型を使用する場合がある、という点にある。
【課題を解決するための手段】
【０００６】
この発明（請求項１にかかる発明）は、光を入射させる１個の入射面と、光を出射させる複数個の出射面と、入射面と出射面との間の導光部と、を備え、導光部が、入射面が設けられている幹部と、出射面がそれぞれ設けられている複数本の枝部と、から構成されていて、枝部が、入射面から入射した光の進行方向に沿って幹部から分岐されている、ことを特徴とする。
【０００７】
この発明（請求項２にかかる発明）は、枝部が、幹部から分岐されている分岐部分と、出射面が設けられている出射部分と、分岐部分と出射部分との間に設けられている湾曲部分と、から構成されている、ことを特徴とする。
【０００８】
この発明（請求項３にかかる発明）は、枝部が、約３０°〜約５０°の範囲の角度で幹部から分岐されている、ことを特徴とする。
【０００９】
この発明（請求項４にかかる発明）は、灯室を区画するランプハウジングおよびランプレンズと、灯室内に配置されている光源および前記の請求項１〜３のいずれか１項に記載の車両用導光部材と、を備える、ことを特徴とする。
【発明の効果】
【００１０】
この発明の車両用導光部材、車両用灯具は、枝部が入射面から入射した光の進行方向に沿って幹部から分岐されているので、内面反射部などを設けずに、幹部中の光を枝部中に導くことができる。これにより、金型が簡単となり、しかも、スライド金型を使用する場合がない。
【図面の簡単な説明】
【００１１】
【図１】図１は、この発明にかかる車両用導光部材、車両用灯具の実施形態を示す断面図である。
【図２】図２は、車両用導光部材を示す正面図（図１におけるＩＩＡ矢視図）および背面図（図１におけるＩＩＢ矢視図）である。
【図３】図３は、車両用導光部材中の光路を示す説明図である。
【図４】図４は、車両用導光部材を示す一部拡大断面図（図２におけるＩＶ部の拡大断面図）である。
【図５】図５は、枝部の構成部分と幹部とを示す説明図である。
【発明を実施するための形態】
【００１２】
以下、この発明にかかる車両用導光部材の実施形態（実施例）の１例およびこの発明にかかる車両用灯具の実施形態（実施例）の１例を、図面に基づいて詳細に説明する。なお、この実施形態によりこの発明が限定されるものではない。なお、図４において、車両用導光部材のハッチングを省略する。
【００１３】
（実施形態の構成の説明）
以下、この実施形態における車両用導光部材の構成およびこの実施形態における車両用灯具の構成について説明する。図１中、符号１は、この実施形態における車両用灯具である。前記車両用灯具１は、たとえば、テールランプ、クリアランスランプ、ポジションランプ、ターンシグナルランプ、ストップランプ、テール・ストップランプ、室内ランプなどの自動車用灯具である。
【００１４】
（車両用灯具１の説明）
前記車両用灯具１は、図１に示すように、ランプハウジング２と、ランプレンズ３と、１個の光源４と、１個の導光部材（車両用導光部材）５と、を備える。
【００１５】
前記ランプハウジング２および前記ランプレンズ（たとえば、素通しのアウターレンズなど）３は、全周縁において、シール材でシールされていて、灯室６を水密に画成する。前記光源４および前記導光部材５は、前記灯室６内に配置されている。なお、前記灯室６内に図示しないインナーパネル（インナーハウジング）を配置して、前記光源４を覆い隠しても良い。
【００１６】
前記光源４および前記導光部材５は、ブラケットなどの適宜手段により、前記ランプハウジング２に取り付けられている。前記光源４は、半導体型光源あるいはバルブ光源から構成されている。前記光源４は、光を前記導光部材５側に放射する（図１中の実線矢印を参照）。
【００１７】
（導光部材５の説明）
前記導光部材５は、前記光源４からの光を導く。前記導光部材５は、この例では、ＰＣ（ポリカーボネート）、ＰＭＭＡ（ポリメタクリル酸メチル、メタクリル樹脂）などの透明樹脂材から構成されている。前記導光部材５は、金型成形により成形される。
【００１８】
前記導光部材５は、光を入射させる１個の入射面５０と、光を出射させる複数個この例では４個の出射面５１と、前記入射面５０と前記出射面５１との間の導光部５２と、を備える。
【００１９】
前記導光部５２は、前記入射面５０が設けられている幹部５３と、前記出射面５１がそれぞれ設けられている複数本この例では４本の枝部５４と、から構成されている。前記幹部５３および前記枝部５４は、断面円形の円柱形状をなす。
【００２０】
前記幹部５３の一端面（前記光源４と対向する端面）には、前記入射面５０が設けられている。この結果、前記入射面５０は、円形の平面（もしくは円形の曲面）からなる。前記枝部５４の一側面（前記ランプレンズ３と対向する側面）には、前記出射面５１が設けられている。この結果、前記出射面５１は、長方形の湾曲面からなる。
【００２１】
前記枝部５４の他側面（前記出射面５１と反対側の側面）には、前記枝部５４中に導かれた光を前記出射面５１側に反射させる反射面素子群（プリズム素子群）５５が設けられている。前記反射面素子群５５の反射面の角度を調整することにより、前記出射面５１から光が外部に出射する方向を調整することができる。
【００２２】
前記出射面５１は、意匠部５６（図３中の破線にて囲まれている範囲の部分）を構成する。前記導光部材５の前記意匠部５６以外の部分を前記インナーパネルにより、前記光源４と共に覆い隠しても良い。
【００２３】
前記枝部５４は、前記入射面５０から入射した光の進行方向に沿って前記幹部５３から分岐されている。前記枝部５４は、図４、図５に示すように、分岐部分５４０と、出射部分５４１と、湾曲部分５４２と、から一体に構成されている。
【００２４】
前記分岐部分５４０は、直線状の円柱形状をなし、前記幹部５３から角度θ（約３０°〜約５０°の範囲の角度）で分岐されている。前記出射部分５４１は、直線状の円柱形状をなし、一側面には前記出射面５１が設けられていて、他側面には前記反射面素子群５５が設けられている。前記湾曲部分５４２は、円弧状の円柱形状をなし、前記分岐部分５４０と前記出射部分５４１との間に一体に設けられている。
【００２５】
（実施形態の作用の説明）
この実施形態における車両用導光部材（導光部材５）およびこの実施形態における車両用灯具１は、以上のごとき構成からなり、以下、その作用について説明する。
【００２６】
光源４を点灯する。すると、光源４から放射された光は、図１、図３中の実線矢印に示すように、導光部材５の入射面５０から導光部材５の導光部５２の幹部５３中に入射する。導光部５２の幹部５３中に入射した光は、幹部５３中を、入射面５０と反対側に導かれる。幹部５３中を導かれた光は、幹部５３中から４本の枝部５４中に導かれる。
【００２７】
枝部５４中に導かれた光は、枝部５４の分岐部分５４０から湾曲部分５４２を経て出射部分５４１中に導かれる。出射部分５４１中に導かれた光は、反射面素子群５５で出射面５１側に反射して、その出射面５１から外部に出射する。これにより、４本の光のラインが得られる。
【００２８】
（実施形態の効果の説明）
この実施形態における車両用導光部材（導光部材５）およびこの実施形態における車両用灯具１は、以上のごとき構成および作用からなり、以下、その効果について説明する。
【００２９】
この実施形態における車両用導光部材（導光部材５）およびこの実施形態における車両用灯具１は、枝部５４が入射面５０から入射した光の進行方向に沿って幹部５３から分岐されているので、内面反射部などを設けずに、幹部５３中の光を枝部５４中に導くことができる。これにより、金型が簡単となり、しかも、スライド金型を使用する場合がない。
【００３０】
この実施形態における車両用導光部材（導光部材５）およびこの実施形態における車両用灯具１は、枝部５４が、分岐部分５４０と、出射部分５４１と、湾曲部分５４２と、から一体に構成されている。このために、幹部５３中から枝部５４中に導かれた光を、枝部５４の分岐部分５４０から湾曲部分５４２を経て出射部分５４１中に光損失が少なく効率良く導くことができる。この結果、枝部５４の出射部分５４１の出射面５１から光を効率良く出射させることができる。
【００３１】
この実施形態における車両用導光部材（導光部材５）およびこの実施形態における車両用灯具１は、分岐部分５４０が幹部５３から角度θ（約３０°〜約５０°の範囲の角度）で分岐されている。このために、光を幹部５３中から枝部５４中に光損失が少なく効率良く導くことができる。しかも、幹部５３と枝部５４との間の鋭角な空間に位置する金型の部分の耐久性が向上される。
【００３２】
（実施形態以外の例の説明）
なお、この実施形態においては、幹部５３および枝部５４が断面円形の円柱形状をなすものである。ところが、この発明においては、幹部および枝部が断面三角形、断面四角形、断面多角形などの柱形状であっても良い。
【００３３】
また、この実施形態においては、枝部５４が、分岐部分５４０と、出射部分５４１と、湾曲部分５４２と、から一体に構成されているものである。ところが、この発明においては、枝部が、出射部分のみでも良いし、分岐部分と出射部分とでも良いし、湾曲部分と出射部分とでも良い。
【００３４】
さらに、この実施形態においては、分岐部分５４０が幹部５３から角度θ（約３０°〜約５０°の範囲の角度）で分岐されているものである。ところが、この発明においては、分岐部分５４０が幹部５３から約３０°以下の角度、あるいは、約５０°以上の角度で分岐されているものであっても良い。
【００３５】
さらにまた、この実施形態においては、枝部５４に反射面素子群５５を設けるものである。ところが、この発明においては、枝部に反射面素子群を設けなくても良い。この場合においては、枝部の全側面が出射面となる。
【００３６】
さらにまた、この実施形態においては、１個の光源４を使用するものである。ところが、この発明においては、光源を複数個使用しても良い。この場合においては、幹部が断面長方形、断面長円形、断面楕円形などの柱形状であって、入射面が長方形、長円形、楕円形などの形状をなすものに適している。
【００３７】
さらにまた、この実施形態においては、４本の枝部５４すなわち４個の出射面５１からなるものである。ところが、この発明においては、枝部すなわち出射面が２本２個、３本３個、５本以上５個以上であっても良い。
【００３８】
さらにまた、この実施形態においては、出射面５１が長方形をなしていて、光のラインが得られるものである。ところが、この発明においては、出射面を１個あるいは複数個の三角形、正方形、多角形などにして、光の点、あるいは、光の連続する点などが得られるものであっても良い。
【符号の説明】
【００３９】
１  車両用灯具
２  ランプハウジング
３  ランプレンズ
４  光源
５  導光部材
５０  入射面
５１  出射面
５２  導光部
５３  幹部
５４  枝部
５４０  分岐部分
５４１  出射部分
５４２  湾曲部分
５５  反射面素子群
５６  意匠部
６  灯室
【図１】
2015022981.tif 000003
【図２】
2015022981.tif 000004
【図３】
2015022981.tif 000005
【図４】
2015022981.tif 000006
【図５】
2015022981.tif 000007